(57)【要約】  本物品は、裏当て材（１６）上に保持され、ネスト状形態、好ましくは円筒形態を形成することができる、食器洗い機用洗剤の固形スティックのラック（１２）を含む。ネスト状物品は、プラスチックボディの、硬い、丈夫なホルダの中に挿入される。ホルダは、使用中、食器洗い機の中に配置された恒久的な物品であるが、本物品は詰替え品である。使い尽くしたとき、材料の廃物は最小である。【選択図】図１
2009523667.tif 000002
【特許請求の範囲】
【請求項１】
固形洗浄組成物の１回分量要素のラックを含む物品であって、
１回分量要素のラックは、裏当て材上に保持され、ネスト状形態を形成することができる、
ことを特徴とする物品。
【請求項２】
１回分量要素は、ロッドあるいはスティックの形態であり、裏当て材上に互いにほぼ平行に保持される、請求項１に記載の物品。
【請求項３】
ネスト状形態で、裏当て材は外側にあり、１回分量要素は内方に突出する、請求項１または２に記載の物品。
【請求項４】
物品は、６乃至２０個の１回分量要素を含む、請求項１乃至３のいずれか１項に記載の物品。
【請求項５】
ネスト状でない位置において、１回分量要素の間の隙間は、１回分量要素間に妨害なしに、物品をネスト状位置に形成することができるのに十分であり、好ましくは、ネスト状形態において、１回分量要素の各対の少なくとも遠位端は、間隙によって分離されている、請求項１乃至４のいずれか１項に記載の物品。
【請求項６】
物品は、１回分量要素を保持するためのスリーブを含み、スリーブは、熱成形を含む成形トレイによって形成され、１回分量要素が配置される多区画室を有し、前記裏当て材によって閉じられる、請求項１乃至５のいずれか１項に記載の物品。
【請求項７】
各スリーブは、両端に２つの孔を有し、水が一端（使用中の上端）に入り、溶解したあるいは崩れ去った洗浄組成物を水とともに運んで、他端（使用中の下端）を去ることができる、請求項１乃至６のいずれか１項に記載の物品。
【請求項８】
使用中、ネスト状形態で、食器洗い機の中に配置されるホルダ内に詰替え品として保持される、請求項１乃至７に記載の物品を含む、
ことを特徴とする多回分量の、物品洗浄製品。
【請求項９】
ホルダは、ハブを有し、数が、好ましくは、３から物品内の１回分量要素の数までのフィンのアレイがハブから四方に広がる、請求項８に記載の製品。
【請求項１０】
ホルダは、物品洗浄機械内に、ホルダを解放可能に保持するための手段を有する、請求項８または９に記載の製品。
【請求項１１】
ホルダは、水を選択された１回分量要素まで送出するようになっている蓋を有する、請求項８または９に記載の製品。
【請求項１２】
請求項１乃至７のいずれか１項に記載の物品を作る方法であって、
キャビティのラックを含むトレイを形成するステップと、
洗浄組成物をキャビティの中に導入するステップと、
キャビティを前記裏当てシートで密封するステップと、
物品を前記ネスト状形態に形成するステップと、を含む、
ことを特徴とする方法。
【請求項１３】
物品洗浄機械の中で洗浄を実行する方法であって、
Ｘ個の複数の１回分量要素を収容する請求項１乃至７のいずれか１項に記載の物品を前記ホルダの中に挿入するステップと、
物品洗浄機械をＸサイクル作動させるステップと、
消費した物品を取り出すステップと、
新しい物品を挿入するステップと、
物品洗浄機械を更なるサイクル作動させるステップと、を含む、
ことを特徴とする方法。
【請求項１４】
物品洗浄機械の中で洗浄を実行する際の、請求項１乃至７のいずれか１項に記載の物品の使用、あるいは、請求項８乃至１０のいずれか１項に記載の、多回分量の、物品洗浄製品の使用。
【発明の詳細な説明】
【技術分野】
【０００１】
本発明は、物品洗浄機械、例えば、食器洗い機あるいは洗濯機用の、洗浄組成物の複数の１回分量要素を含む詰替え品として働く物品に関する。
【発明の開示】
【課題を解決するための手段】
【０００２】
本発明の第１の側面によれば、固形洗浄組成物の１回分量要素のラックを含む物品が提供され、１回分量要素のラックは、裏当て材上に保持されて、ネスト状形態を形成できる。
【０００３】
ラックは、細長い固形の１回分量要素の平行アレイの形態であるのがよい。
【０００４】
物品は、平らな形態に作られ、ネスト状形態を形成し、物品洗浄機械の中に配置された、あるいは配置されることになっている、ホルダの中に挿入される。
【０００５】
好ましくは、ネスト状形態は、ほぼ円筒形である。
【０００６】
好ましくは、ネスト状形態では、裏当て材が外側にあり、従って、１回分量要素は、内方に突出する。しかしながら、ネスト状形態で、裏当て材が内側にあり、従って、１回分量要素が外方に突出する実施形態、例えば、裏当て材の中央芯に１回分量要素が取付けられて、外方に突出する実施形態は排除されない。
【０００７】
好ましくは１回分量要素は、ロッドあるいはスティックの形態であり、裏当て材上に互いに実質的に平行に保持される。
【０００８】
好ましくは、物品は、少なくとも６個の、より好ましくは少なくとも８個の、最も好ましくは少なくとも１０個の１回分量要素を収容する。
【０００９】
好ましくは、物品は、２０個まで、より好ましくは１８個まで、最も好ましくは１６個までの１回分量要素を収容する。
【００１０】
好ましくは、裏当て材は、シートであり、あるいは、ネスト状形態を達成するように、互いに関節連結された一連の部分、例えばパネルで作られる。裏当て材がシートのとき、物品は、裏当て材を、好ましくは一端が他端に触れ、あるいは重なるまで、丸めることによってネスト状形態を形成することができる。裏当て材が互いに関節連結された一連の部分であるとき、物品は、裏当て材を、好ましくは一端が他端に到達する、あるいは重なるまで、まるめ、あるいは折り曲げることによって、ネスト状形態を形成することができる。
【００１１】
好ましくは、ネスト状形態は、裏当て材の一部分を他の部分に、好ましくは一端を他端に固着することによって維持される。固着手段は、便利には、場合によっては物品が広がる、あるいは開くのを防止するように配置された接着テープあるいは他の固定手段であるのがよい。
【００１２】
好ましくは、１回分量要素を、障害なしに、そのネスト状位置に形成することができるように、非ネスト状位置の１回分量要素間に小さな隙間がある。
【００１３】
好ましくは各１回分量要素は、例えばプラスチック材料のスリーブの中に保持される。変形例では、（特に耐水性材料によって覆われた）ボール紙主体の材料のようなどんな他の適当な材料をも用いることができる。適当な積層を有する積層ボール紙は、用いることができる１つの材料である。各スリーブは、使用中、１回分量要素を流失させる、少なくとも１つの孔を有するのがよい。好ましくは、各スリーブは、両端に２つの孔を有するので、水が一端（使用中の上端）に入り、溶解したあるいは崩れ去った洗浄組成物を水とともに運んで、他端（使用中の下端）を去る。上孔は、適当には、少なくとも１０ｍｍ2、好ましくは少なくとも３０ｍｍ2、最も好ましくは少なくとも６０ｍｍ2の面積のものがよい。適当には、前記上孔は、約５０ｍｍ2のものがよい。適当には、２００ｍｍ2まで、好ましくは１６０ｍｍ2まで、最も好ましくは１２０ｍｍ2までのものがよい。スリーブの上面は、適当には、完全に開放されたままであるのがよい。下孔は、適当には、少なくとも３ｍｍ2、好ましくは少なくとも６ｍｍ2、最も好ましくは少なくとも１０ｍｍ2の面積のものであるのがよい。適当には、それは、２００ｍｍ2まで、好ましくは６０ｍｍ2まで、最も好ましくは２０ｍｍ2までの面積のものであるのがよい。スリーブの下面は、好ましくは、完全に開放したままではないので、使用中、１回分量要素が溶解するまで、これを所定位置に保持する。１つ以上の中間孔がスリーブの側面、すなわち、上孔と下孔との間にあってもよく、そのサイズは、好ましくは下孔に与えられた上記定義に従う。
【００１４】
好ましくは、スリーブは、ワンピースに形成される。そのピースは、１回分量要素が配置される、多区画室を有する成形あるいは熱成形トレイの形態であるのがよい。裏当て材が、１回分量要素を捕捉するために、トレイに固着されるのがよい。そのような実施形態では、トレイおよび裏当て材は、一緒になってスリーブを形成する。
【００１５】
１回分量要素は、固形洗浄組成物のものであり、使用中、材料が流失されるまで、材料が、例えば、上述したようにスリーブの中に保持されるならば、そのようなものとして、微粒子材料、例えば、粉末あるいは顆粒のものであってもよい。しかしながら、好ましくは、１回分量要素は、流動できないという意味で、固形洗浄組成物のものである。好ましくは、それらは凝集性の塊のものであり、好ましくは、モールド成形あるいは成形工程、例えば、射出成形、押出し成形、鋳造、あるいは圧縮成形によって形成される。変形例では、１回分量要素は、粘性ゲルあるいはペーストの形態であるのがよく、そのようなゲルあるいはペーストは、好ましくは、それが水と接触して、容器から洗い流されるようなときまで、容器内にとどまる十分粘性である。
【００１６】
好ましくは、１回分量要素は、互いに同一である。
【００１７】
好ましくは、１回分量要素は、それらの長さに沿った実質的に同じ断面のものであり、特に、好ましくは、テーパしない。
【００１８】
本発明の１回分量要素は、好ましくは、一体であるが、ある実施形態では、１回分量要素は、洗浄作業中、洗浄組成物の単一の投入量として働くことができる、端と端を突き合わせられた２つ以上のピースによって構成され、例えば、そのようなピースは、例えば、前述したようなスリーブの保持部分の中に端と端を突き合わせて一緒に保持される。そのような部分は、勿論、また、一体の１回分量要素を保持する。
【００１９】
好ましい細長い１回分量要素を更に定義するに当たって、我々は、割合すなわち幅に対する長さを意味するアスペクト比に言及することができる。幅（あるいは厚さ）は、長さに垂直な寸法を意味する。しかしながら、そのような定義は、本発明の１回分量要素は、規則的な形状のものでなくてもよいという事実によって潜在的に複雑になる。例えば、それは、１つあるいは２つの傾斜端を有するかもしれないので、「長さ」は、更なる定義を必要とし、および／または、断面がでこぼこかもしれないので、「幅」は、更なる定義を必要とする。平均値の観点で長さおよび幅を定めるのは論理的かもしれないが、平均値は決定するのが難しく、結局、当業者にとって値の実際の測定以外の数学的な構成となる。
【００２０】
前述のコメントを考慮して、我々は、以下のパラメータを用いて細長い１回分量要素を更に定義することを選択した。
最小長さ、最大幅、最大断面積（すなわち、長さに垂直な最も広い面積）、全表面積、および、体積。
平均値を用いるのがより論理的であると考えられるかもしれないとしても、我々は、計算を要求せず測定のみを要求する、これらの最大および最小パラメータを用いることを選ぶ。我々は、それによって、実用的且つ分析できる定義を確実に提供する。ここに表現された全ての数字の定義は、そのようなパラメータに基づく。かくして、例えば、アスペクト比は、最小長さと最大幅の比である。
【００２１】
本発明の好ましい１回分量要素の以下の定義は、一体である細長い１回分量要素、および、端と端を突き合わせた２つ以上のピースによって構成された細長い１回分量要素の両方に適用される。後者の実施形態では、以下の定義は、そのような１回分量要素を、それらが一体であるかのように扱い、例えば、長さは、統合された長さを示し、表面積は、端と端を突き合わせた１回分量要素の表面積を示し、分離されたピースの合計された表面積ではない。
【００２２】
好ましくは、細長い１回分量要素の長さ（すなわち最小長さ。上記を参照せよ）は、少なくとも４ｃｍ、好ましくは少なくとも５ｃｍ、好ましくは少なくとも６ｃｍである。
【００２３】
好ましくは、細長い１回分量要素の長さは、１４ｃｍまで、好ましくは１２ｃｍまで、より好ましくは１０ｃｍまでである。
【００２４】
好ましくは、細長い１回分量要素の厚さ（すなわち最大厚さ。上記を参照せよ）は、少なくとも０．８ｃｍ、好ましくは少なくとも１．４ｃｍ、好ましくは少なくとも１．８ｃｍである。
【００２５】
好ましくは、細長い１回分量要素の厚さは、５ｃｍまで、より好ましくは３．５ｃｍまで、より好ましくは２．５ｃｍまでである。
【００２６】
好ましくは、細長い１回分量要素の断面積（すなわち最大断面積。上記を参照せよ）は、少なくとも０．６ｃｍ2、好ましくは少なくとも１ｃｍ2、好ましくは少なくとも１．５ｃｍ2である。
【００２７】
好ましくは、細長い１回分量要素の断面積は、５ｃｍ2まで、好ましくは３．５ｃｍ2まで、より好ましくは２．５ｃｍ2までである。
【００２８】
好ましくは、細長い１回分量要素の表面積は、少なくとも３０ｃｍ2、好ましくは少なくとも３５ｃｍ2、好ましくは少なくとも４０ｃｍ2である。
【００２９】
好ましくは、細長い１回分量要素の表面積は、６０ｃｍ2まで、好ましくは５５ｃｍ2まで、好ましくは５０ｃｍ2までである。
【００３０】
好ましくは、細長い１回分量要素の体積は、少なくとも６ｍｌ、好ましくは少なくとも９ｍｌ、好ましくは少なくとも１２ｍｌである。
【００３１】
好ましくは、細長い１回分量要素の体積は、２５ｍｌまで、好ましくは２０ｍｌまで、好ましくは１６ｍｌまでである。
【００３２】
好ましくは、細長い１回分量要素の重量は、少なくとも８ｇ、好ましくは少なくとも１２ｇ、好ましくは少なくとも１５ｇである。
【００３３】
好ましくは、細長い１回分量要素の重量は、３２ｇまで、好ましくは２６ｇまで、好ましくは２４ｇまでである。
【００３４】
好ましくは、細長い１回分量要素は、少なくとも２：１、好ましくは少なくとも２．５：１、好ましくは少なくとも３：１のアスペクト比（すなわち、最小長さと最大厚さの比、上記を参照せよ）を有する。
【００３５】
好ましくは、細長い１回分量要素は、１２：１まで、好ましくは８：１まで、好ましくは６：１までのアスペクト比を有する。
【００３６】
好ましくは、細長い１回分量要素は、少なくとも２：１、好ましくは少なくとも２．５：１、好ましくは少なくとも３：１の長さ対断面積の比を有する（長さ-1の単位）。
【００３７】
好ましくは、細長い１回分量要素は、１２：１まで、好ましくは８：１まで、好ましくは６：１までの長さ対断面積の比を有する（長さ-1の単位）。
【００３８】
好ましくは、細長い１回分量要素は、少なくとも１．５：１、好ましくは少なくとも２：１、好ましくは少なくとも３：１の表面積対体積の比を有する（長さ-1の単位）。
【００３９】
好ましくは、細長い１回分量要素は、８：１まで、好ましくは６：１まで、好ましくは４：１までの表面積対体積の比を有する（長さ-1の単位）。
【００４０】
好ましくは、物品は、ネスト状形態において、１回分量要素の各対が、少なくとも１回分量要素の深さの一部、間隙によって分離される。間隙は、好ましくは、裏当てに向って途中まで、例えば、裏当てまでの距離の３分の１と３分の２との間に及ぶ。使用中、ネスト状物品が配置される別々のホルダは、好ましくは、ハブから四方に広がる壁のアレイを有し、物品がホルダの中に配置されるとき、間隙が分割壁と合致しなければならない。間隙と分割壁との間は、一対一対応であるが、好ましくは、分割壁よりも多くの間隙がある。３つあるいは４つの分割壁が、物品をホルダの中に正しく配置させるのにほぼ十分であろう。一般的に、好ましくは３−８個、好ましくは４−６個の分割壁があるということができる。
【００４１】
ホルダは、通常、プラスチックボディで、硬く、丈夫であるが、物品は、一旦１回分量要素が無くなってしまうと、軽く、むしろもろくさえある。ホルダは、適当には、裏当て材と、スリーブ（軽い熱成形シートあるいはフィルムであるのがよい）とからなる。物品は、ホルダに保持される詰替え品のつもりである。物品が使い尽くされたとき、材料の廃物は、非常に小さい。かくして、本発明は、望ましい人間工学的な解決手段として理解することができる。
【００４２】
本発明のこの第１の側面では、ホルダは本発明の一部ではない。本発明の第２の側面によれば、上述したように、ホルダ内に保持された、上に記載されたような物品をネスト状形態で含む、多回分量の、物品洗浄製品が提供される。
【００４３】
好ましくは、ホルダは、ホルダを物品洗浄機械の中に解放可能に保持するための手段を有する。例えば、それは、食器洗い機のラックからホルダを吊るすことができるフック、あるいは、食器洗い機のラックにクランプすることができるクランプを有してもよいし、あるいは、食器洗い機のラックの区画室中に嵌まるように設計されてもよいし、あるいは、食器洗い機あるいは洗濯機の壁、あるいは、洗濯機の窓に解放可能に嵌まることができるようにする手段を有してもよい。
【００４４】
好ましくは、ホルダは、水を、選択された１回分量要素に送出するようになっている蓋を有する。好ましくは、ホルダは、洗浄毎に１つずつ、次々と１回分量要素に水を送出する手段を有する。そのような手段は、洗浄が開始される前に、自動的に作動され、あるいは使用者がそれを作動する。
【００４５】
本発明の第３の側面によれば、第１の側面による物品を作る方法が提供され、該方法は、キャビティのラックを含むトレイを形成するステップと、洗浄組成物をキャビティ中に導入するステップと、キャビティを前記裏当てシートで密封するステップと、物品を前記ネスト状形態に形成するステップと、を含む。
【００４６】
トレイは、プラスチック材料からなるのがよく、好ましくは、成形工程によって成形され、好ましくは熱成形される。
【００４７】
洗浄組成物は、既に成形された１回分量要素として、キャビティの中に流し込まれ、あるいはキャビティの中に導入される。それらは、射出成形あるいは押出し成形によって適当に成形されるのがよい。
【００４８】
洗浄組成物を、いかなる適当な方法、例えば、完全に自動的にあるいは半自動的な方法によって、あるいは、手動で、キャビティの中に導入することができる。もし裏当て材が、１回分量要素が外方に突出するように、固形の１回分量要素を含むラックのネスト状形態の内側にあるならば、１回分量要素を、いかなる適当な手段、例えば、接着剤、弾性バンドなどによって、ネスト状形態に維持することができる。
【００４９】
本発明の第４の側面によれば、物品洗浄機械で洗浄を実行する方法が提供され、該方法は、Ｘ個の複数の１回分量要素を収容する第１の側面の物品を、前記ホルダ中に挿入するステップと、物品洗浄機械をＸサイクル作動させるステップと、消費した物品を取り出すステップと、新しい物品を挿入するステップと、物品洗浄機械を更なるサイクル作動させるステップと、を含む。
【００５０】
本発明の第５の側面によれば、物品洗浄機械で洗浄を実行する際の、第１の側面による物品の使用、あるいは、第２の側面による多回分量の、物品洗浄製品の使用が提供される。
【発明を実施するための最良の形態】
【００５１】
本発明を、一例として添付図面を参照して、更に記載する。
【００５２】
図１の物品は、熱成形プラスチックトレイからなる、図３に示す細長いブリスターポケット２の平らなプラスチックトレイとして製造される。各ブリスターポケット２の開放端の外辺部のまわり全部に、エンドレスフランジ４が形成される（図２で見ることができる）。洗浄組成物の固形ロッドあるいはスティック６（本実施形態では、自動食器洗い機の洗浄に用いるようになっている）が、ブリスターポケットの中に導入される。これは、異なる方法でなすことができる。例えば、一実施形態では、洗浄組成物をポケットに注入あるいは流し込むことができる。しかしながら、本実施形態では、ロッドあるいはスティックは、射出成形あるいは押出し成形によってあらかじめ形成され、それから、長さに切られ、次いで、ポケットの中に導入される。それらは、ポケットの中に導入されて各ポケットを底端８まで満たすが、頂端に空間１０を残すことに気付く。この空間１０は、ポケットの上端壁の孔１２を通して、水がポケットに入ることができるように、残される。本実施形態では、そのような各孔１２は、円形で、直径が８ｍｍである。同一の孔（図示せず）が、物品の下端壁に形成され、水および同伴されたあるいは溶解した洗浄組成物をポケットから出させる。
【００５３】
各ロッドあるいはスティックの物理的パラメータは、以下の通りである。
長さ：  ８０ｍｍ
厚さ（最大値）：  ２２ｍｍ
断面積：  ２ｃｍ2
表面積：  ４０ｃｍ2
重量：  １８．５ｇ
体積：  １４．８ｃｍ3
【００５４】
一旦、ポケットの全てが、洗浄組成物のロッドあるいはスティックを（どのような手段によってでも）備えると、裏当てシート１４が、開放端を覆って置かれ、フランジ４に固着される。裏当ては、都合のよいいかなる手段、例えば、熱あるいは接着剤によって、フランジに接着される。
【００５５】
次に、今や、ロッドまたはスティックのラックあるいは直線アレイの形態の平らな物品が、図１に示すネスト状形態にカールされる。本実施形態では、ネスト状形態は、ほぼ円筒形アレイである。それは、１枚の接着テープ１６によってネスト状形態に保持されるのがよい。
【００５６】
裏当てには、その外に向いた側に情報、例えば、商標が、商品体裁が、および／または使用情報が印刷されるのがよい。
【００５７】
図４に示すように、各ロッドあるいはスティック、およびそれに対応する各ブリスターは、裏当てシート１４に当接する平らなベース壁１８を有する。ベース壁１８から、各ロッドあるいはスティック、および各ブリスターが、より狭い遠位端壁２０まで全体的にテーパする。側壁は、２２、２４におけるように最初徐々にテーパし、それから、幾分急な内方転位２６を受け、次いで、２７で、中間の割合（側壁部分２２の割合と転位２６の割合との間）で遠位端壁２０に到達するまでテーパする。
【００５８】
ロッドあるいはスティックは、三角柱（すなわち三角形）の全体形状を有すると見なすことができる。より正確には、上述したように、側壁は、不連続な方法でテーパする。
【００５９】
ロッドあるいはスティックは、それらのベース壁１８で、ロッドあるいはスティック間に間隔２８をもって裏当てシート上に配置されることに気付くであろう。
【００６０】
ロッドあるいはスティックは、ネスト状形態にあるとき、それらの遠位端領域で、ロッドあるいはスティック間に間隙３０を有することに更に気付くかもしれない。
【００６１】
裏当てシートは、製造中、裏当てシートを熱成形するモールドの結果として、優先的な折れ線３２を有する。これらの折れ線３２は、ロッドあるいはスティックの間の間隔２８と整合される。
【００６２】
これらの特徴の最終結果は、以下の通りであり、図１で明らかに分かる。物品がネスト形状に形成されるとき、裏当てシートは、関節方法で、折れ線３２を中心に変位される。このネスティングあるいは折り曲げは、間隔２８および３０によって可能にされ、もしスティックあるいはロッドが、単に互いに当接されるならば、物理的障害のために、そのような作業は許されないであろう。図１で分かるように、遠位端領域の間隔３０は、（明らかに狭くなるが）ネスト状形態ででも残る。
【００６３】
使用中、本発明の物品は、図１および図５Ａにも示すネスト状形態で供給される詰替え品である。それは、そのネスト状形態で、図５Ｂに示すホルダの中に挿入される。ホルダは、円筒形の桶型容器であり、桶型容器の実質的に軸線方向全長、ベースから上方に延びるハブ状の軸線方向突出部４０を有する。９０°間隔に設定された４つのフィン４２が突出部４０から外方に突出する。フィンは、ホルダの半径距離の約１０分の４延びる。
【００６４】
ホルダは、ぶら下がりハンドル４４を有する。
【００６５】
ホルダの底壁は、大きな開口部（図示せず）である。
【００６６】
ホルダは、図５Ｃに示す蓋を有する。蓋は、微粒子の無い水をホルダに入れるために、ふるい４８によって囲まれた中央割出しデバイス４６を有する。中央割出しデバイスは、押しボタン５０と、その周りに、洗浄組成物のロッドあるいはスティックの番号と等しい番号を有するダイヤル５４とを有する。食器洗い機が使用される毎に、使用者は、ボタンを押して、１つの番号だけ制御ダイヤルを進め、次の洗浄のロッドあるいはスティックを使い始める。これは、蓋内の有孔ディスクを１つの位置だけ回転させ、ホルダに入る水が、今や、次のロッドあるいはスティックと整合した孔を通らなければならないようにすることによってなされる。水は、蓋内の孔と整合された孔１２を通して適切なブリスターに入る。水は、ロッドあるいはスティックの上の空間１０を満たす。ロッドあるいはスティックは、水に浸され、溶解し、および／または崩れ去り、底孔を通してブリスターを去る。
【００６７】
幾分驚くべきことに、我々は、本方法によって、ロッドあるいはスティックの優れた溶解を達成することができることを見出した。水を、軸線方向あるいは長さ方向に洗浄組成物の１回分量要素の一端に差し向けることによって、洗浄組成物の１回分量要素を溶解することは、効率の悪い方法であるかもしれないことが予期されていたかもしれなかった。実際には、溶解あるいは分散は優れており、その構造は、食器洗い機内で利用できる「フットプリント領域」のあまり多くを塞がない点で、非常に空間効率が良い。
【００６８】
図６で分かるように、物品がホルダの桶型容器内に配置されるとき、フィン４２は、ネスト状物品の間隙３０内に配置される。間隙３０内のフィンの許容差は大きくなく、このようにして、ロッドあるいはスティックおよび上孔１２を、蓋内の孔と整合させるように正しい向きにすることが確保される。
【００６９】
図７は、完全に組み立てられたデバイスを示す。
【図面の簡単な説明】
【００７０】
【図１】ネスト状形態の本発明の物品をほぼ上方からの斜視図で示す。
【図２】ネスト状形態の図１の物品を側面図で示す。
【図３】平面形態で図１の物品を示す。
【図４】図３の１回分量要素を平面図で示す。
【図５Ａ】図５Ａは、図５Ｃのように１回分量要素選択デバイスを収容するキャップを取り外して示し、図５Ｂのホルダ中に導入されることになる図１の物品を示す。
【図５Ｂ】ホルダを示す。
【図５Ｃ】ホルダのキャップを示す。
【図６】図５Ｂのホルダ内に配置された図１の物品を示す。
【図７】図５Ｃのキャップが図６のホルダおよび物品組立体上に配置された、完全に組み立てられたデバイスを示す。
【図１】
2009523667.tif 000003
【図２】
2009523667.tif 000004
【図３】
2009523667.tif 000005
【図４】
2009523667.tif 000006
【図５】
2009523667.tif 000007
【図６Ａ】
2009523667.tif 000008
【図７】
2009523667.tif 000009
【国際調査報告】
2009523667.tif 000010
2009523667.tif 000011
2009523667.tif 000012